(57)【特許請求の範囲】
【請求項１】
ブロックとブロックとを連結するための結合具であって、
内部に流路が形成されている胴体部と、
前記胴体部の長手方向の両端部のうち一側面に前記流路と連通するように形成されている流入孔が設けられる流入部と、
前記流入部が形成されている前記胴体部の長手方向の反対面に前記流路と連通するように形成されている排出孔が設けられる排出部と、
前記流入部が形成されている前記胴体部の外側端部に設けられ、前記ブロックに結合している前記胴体部が離脱しないようにする係止部と、からなり、
前記排出孔は、前記胴体部の直径よりも小径に形成され、前記排出部の周縁に設けられ、前記胴体部を回転させることにより、前記排出部に位置した前記排出孔の相対的な高さが変わり、前記排出孔を通じて排出される流体の水位が調節されることを特徴とする浄化槽及び水処理施設用ブロックの結合具。
【請求項２】
前記胴体部は、断面の形状が多角形であることを特徴とする請求項１に記載の浄化槽及び水処理施設用ブロックの結合具。
【請求項３】
請求項１または２に記載の浄化槽及び水処理施設用ブロックの結合具を用いて組み付けられる組立式ブロックにおいて、
上部に蓋部が開閉自在に結合し、内部に空間部を形成するハウジングと、
前記ハウジングの側面に少なくとも一つ以上設けられる結合溝と、
前記結合溝に挿入して結合され、前記ハウジングに引き込まれる流体の流路及び水位を制御する結合具と、からなることを特徴とする浄化槽及び水処理施設用ブロックの結合具を用いた組立式ブロック。
【請求項４】
前記結合具は、前記ハウジングと一体に成形されていることを特徴とする請求項３に記載の浄化槽及び水処理施設用ブロックの結合具を用いた組立式ブロック。
【請求項５】
前記ハウジングの内部にはホッパー組立体が結合されていることを特徴とする請求項３に記載の浄化槽及び水処理施設用ブロックの結合具を用いた組立式ブロック。
【発明の詳細な説明】
【技術分野】
【０００１】
本発明は、浄化槽及び水処理施設用ブロックの結合具、及びこれを用いた組立式ブロックに係るものであって、より詳細には浄化槽と水処理のために地下に埋設されるように設置する多数のブロックを互いに締結するための結合具、水処理施設の目的に合うオーダーメイドが可能な浄化槽及び水処理施設用ブロックの結合具、及びこれを用いた組立式ブロックに関する。
【背景技術】
【０００２】
一般的に浄化槽、汚水処理施設、廃水処理施設、雨水貯留槽などの水処理関連施設物はほとんどが地下に埋設して設置される。
【０００３】
こうした水処理関連施設物の設置方法は、掘削した場所に壁体を通じた多数の空間により区画された枠を鋳型で作り、ここにコンクリートを打設した後、養生過程を経て設置する。
【０００４】
他の方法は、工場において、ある形に成形されたブロックを車で運搬し、掘削場所で好きな形に前後を連結するもので、一例として、特許文献１に「汚廃水処理施設用の移動式コンクリートモジュール反応槽」が開示されている。
【０００５】
前記文献は、鉄筋コンクリートからなる前後左右の側壁と底面とが一体に形成された本体、該本体の上面開放部に結合する蓋部、及び前記本体の側壁を貫通した一つ以上の開口部を含んで構成される。
【０００６】
したがって、現場に運搬が容易で、設置が簡単で、耐久性、健全性及び安全性に優れ、工事期間の短縮と同時に工事コストの低減という効果がある。
【０００７】
しかし、前記文献では、汚廃水の浄化のために本体を並列または直列など、様々な形に組合せ可能であることから使用するのに便利な反面、汚廃水の水位調節及び誘導に対する具体的な記載がないため実用性に乏しい。
【０００８】
また、本体の特定の位置に形成された開口部に因って様々な水処理施設に使用できない構造的な短所がある。
【先行技術文献】
【特許文献】
【０００９】
【特許文献１】韓国登録実用新案第２０−０３３２７９３号公報
【発明の概要】
【発明が解決しようとする課題】
【００１０】
本発明は、前述した問題点を解決するためのものであり、浄化槽及び各種水処理施設に合うオーダーメイドが可能で、実用性に優れた浄化槽及び水処理施設用ブロックの結合具、及びこれを用いた組立式ブロックを提供することにその目的がある。
【００１１】
また、ブロックとブロックとの結合が簡単且つ堅固で、各ブロック間の流路形成が容易であることから引き込まれる流体が効率的に誘導できる浄化槽及び水処理施設用ブロックの結合具、及びこれを用いた組立式ブロックを提供することに目的がある。
【００１２】
また、ブロックの設置に伴う諸事項が少ないことから、コストの低減及び工事期間の短縮が可能な浄化槽及び水処理施設用ブロックの結合具、及びこれを用いた組立式ブロックを提供することに目的がある。
【００１３】
また、堅固な施工によって汚廃水が地下に漏洩することを防止するため、環境汚染問題のない浄化槽及び水処理施設用ブロックの結合具、及びこれを用いた組立式ブロックを提供することに目的がある。
【００１４】
さらに、簡単な施工によって、設置及び除去が容易で、老朽化または破損などの理由による交換または修理が容易な浄化槽及び水処理施設用ブロックの結合具、及びこれを用いた組立式ブロックを提供することに目的がある。
【課題を解決するための手段】
【００１５】
本発明の目的を達成するために、本発明の実施形態によると、ブロックとブロックとを連結するための結合具において、内部に流路が形成された胴体部と、前記胴体部の長手方向の両端部のうち一側面に前記流路に連通するように形成された流入孔が設けられた流入部と、前記流入部が形成された前記胴体部の長手方向の反対面に前記流路に連通するように形成された排出孔が設けられた排出部と、前記流入部が形成された前記胴体部の外側端部に設けられ、前記ブロックに結合された前記胴体部が離脱しないようにする係止部と、からなることを特徴とする浄化槽及び水処理施設用ブロックの結合具が提供される。
【００１６】
前記排出孔は、前記胴体部の直径よりも小径に形成され、前記排出部の一側縁の所定位置に設けられることを特徴とする。
【００１７】
前記排出部は、前記流路が遮断されるように前記排出孔を設けないことを特徴とする。
【００１８】
前記胴体部は、断面の形状が多角であることを特徴とする。
【００１９】
本発明の実施形態による他の目的は、浄化槽及び水処理施設用ブロックの結合具を用いて組み立てられる組立式ブロックにおいて、上部に蓋部が開閉自在に結合し、内部に空間部が形成されたハウジングと、前記ハウジングの側面に少なくとも一つ以上設けられる結合溝と、前記結合溝に挿入結合され、前記ハウジングに引き込まれる流体の流路及び水位を制御する結合具と、からなることを特徴とする浄化槽及び水処理施設用ブロックの結合具を用いた組立式ブロックを提供することにある。
【００２０】
前記結合具は、前記ハウジングと一体に成形されることを特徴とする。
【００２１】
前記ハウジングの内部には、ホッパー組立体が結合されることを特徴とする。
【発明の効果】
【００２２】
本発明の一実施形態による浄化槽及び水処理施設用ブロックの結合具、及びこれを用いた組立式ブロックは、浄化槽及び各種水処理施設に応じたオーダーメイドが可能で、実用性に優れた効果がある。
【００２３】
また、ブロックとブロックとの結合が簡単且つ堅固で、各ブロック同士間の流路形成が容易なため、引き込まれる流体が効率的に誘導できるという効果がある。
【００２４】
また、ブロックの設置に伴う諸事項が少なく、コスト削減及び工事期間の短縮が可能になるという効果がある。
【００２５】
また、堅固な施工によって汚廃水が地下に漏洩することを防止するため、環境汚染の問題がないという効果がある。
【００２６】
さらに、簡単な施工によって、設置及び除去が容易で、老朽化または破損などの理由による交換または修理が容易であるという効果がある。
【図面の簡単な説明】
【００２７】
【図１】本発明の一実施形態による浄化槽及び水処理施設用ブロックの結合具の一般的な形状を示す斜視図である。
【図２】本発明の一実施形態による浄化槽及び水処理施設用ブロックの結合具が多角柱形状に設けられた場合の例を示す図である。
【図３】本発明の一実施形態による浄化槽及び水処理施設用ブロックの結合具がブロックと一体に成形された様態を示す図である。
【図４】本発明の一実施形態による浄化槽及び水処理施設用ブロックの結合具を用いて組み立てられる組立式ブロックの様々な結合方式を示す図である。
【図５】図４にホッパー組立体が結合された様態を示す図である。
【発明を実施するための形態】
【００２８】
以下、添付図面に基づき、本発明の好適な実施形態について詳述するが、この過程で図示した線の太さや構成要素の大きさなどは説明の明瞭性と便宜上、誇張されていることもある。
【００２９】
また、後述する用語は、本発明での機能を考慮して定義された用語であって、これは使用者、運用者の意図、または慣例によって変わることがある。したがって、これらの用語の定義は、本明細書全般にわたった内容に基づいて下されなければならない。
【００３０】
図１は、本発明の一実施形態による浄化槽及び水処理施設用ブロックの結合具の一般的な形状を示す斜視図であり、図２は、本発明の一実施形態による浄化槽及び水処理施設用ブロックの結合具が多角柱形状に設けられた場合の例を示す図であり、図３は、本発明の一実施形態による浄化槽及び水処理施設用ブロックの結合具がブロックと一体に成形された様態を示す図であり、図４は、本発明の一実施形態による浄化槽及び水処理施設用ブロックの結合具を用いて組み立てられる組立式ブロックの様々な結合方式を示す図であり、図５は、図４にホッパー組立体が組み付けられた様態を示す図である。
【００３１】
図１ないし図３を参照すると、本発明の一実施形態による浄化槽及び水処理施設用ブロックの結合具１００は、ブロックとブロックとを連結するための結合具として、胴体部１１０、流入部１２０、排出部１３０、及び係止部１４０を含めて構成される。
【００３２】
胴体部１１０は、断面形状が円形状である円柱形状に設けられ、該内部に流路１１２が形成されている。
【００３３】
胴体部１１０は、隣接したブロックが当接するそれぞれの内側面に直交して貫通挿入され、ブロック同士を相互連結する連結具としての役割を奏すると共に、連結されているブロックへと順次に流体を供給するための通路の役割を果たす。
【００３４】
流路１１２は、胴体部１１０の内部が空洞となっている部分、つまり、円柱形状の胴体部１１０の内部が中空に形成されていることをいい、胴体部１１０の長手方向と同一の方向に形成され、胴体部１１０の内部へ流体が通過できるように形成する。
【００３５】
流入部１２０は、胴体部１１０の長手方向の両端部のうち、一側面に流路１１２に連通するように形成された流入孔１２２が設けられている。
【００３６】
流入部１２０は、胴体部１１０の長手方向の両端部のうち、流体が引き込まれる方の胴体部１１０の一端部のことをいう。
【００３７】
流入孔１２２は、流入部１２０から流体が引き込まれる部分をいい、より詳しくは、円柱形状の二つの底面のうち一つの底面、つまり、胴体部１１０の長手方向の両側面のうち、流体が引き込まれる一側面の開口している部分をいう。
【００３８】
排出部１３０は、流入部１２０が形成されている胴体部１１０の長手方向の反対面に流路１１２と連通するように形成された排出孔１３２が設けられて構成される。
【００３９】
排出部１３０は、胴体部１１０の長手方向の両端部のうち流入部１２０が位置した側と反対側の胴体部１１０の端部をいい、流入部１２０を通じて引き込まれて胴体部１１０の内部を流れる流体が排出される部分のことをいう。
【００４０】
前記排出孔１３２は、排出部１３０から流体が排出される部分をいい、流入孔１２２が形成されている胴体部１１０の長手方向の反対面に開いている部分をいう。つまり、排出孔１３２は流体が排出される胴体部１１０の出口、流入孔１２２は流体が引き込まれる胴体部１１０の入口といえる。
【００４１】
図１を参照すると、排出部１３０には、流路１１２が遮断されるように排出孔１３２が設けられなくてもよい。つまり、胴体部１１０の出口の役割を果たす排出孔１３２を塞ぐことで、流入孔１２２を通じて引き込まれ、胴体部１１０の内部を流れる流体が排出孔１３２を通じて排出されないようにする。
【００４２】
排出孔１３２は、図１に示したように、胴体部１１０の直径よりも小径に形成され、排出部１３０の一側縁の所定位置に設けられても良く、これは胴体部１１０を回動させることにより、排出部１３０に位置した排出孔１３２の相対的な高さを変えることになり、胴体部１１０から排出孔１３２を通じて排出される流体の微細な水位の調節を可能にすることができる。
【００４３】
ここで、胴体部１１０を、前述した構成により詳細に説明すると、図１に示したように、Ｏ-タイプ、Ｃ-タイプ、Ｒ-タイプの三つのタイプから構成することができる。
【００４４】
Ｏ-タイプは、排出部１３０の排出孔１３２が胴体部１１０の直径と同径で開口されているものであり、Ｃ-タイプは、流路１１２を遮断すべく排出部１３０に排出孔１３２が設けられていないものであり、Ｒ-タイプは、排出孔１３２が胴体部１１０の直径よりも小径に形成されて排出部１３０の周縁に設けられているものである。
【００４５】
このように上記の三つのタイプを、ブロック同士を連結する際に、上下左右に多様に結合することによって、ブロックの手軽な連結と共に流体の移動制御、つまり流路の調整が可能となる。
【００４６】
ここで、水路の方向誘導が必要となる理由は、水処理施設の場合、処理施設の種類に応じて各処理段階別水槽の水路(流路)が左右、上下などに様々な条件下で必要となり、従来の類似特許では水路の誘導を全く工夫しておらず、または構造物を破砕しなければならない構造であったからである。
【００４７】
したがって、この三つのタイプを利用して汚廃水処理施設、浄水処理施設、単独の浄化槽、非点汚染源、雨水貯留所、消防用水槽、貯水槽などのような様々な水処理施設の特性に合わせて適宜に使用することができる。
【００４８】
係止部１４０は、円環状に形成され、流入部１２０が形成された胴体部１１０の外側端部に設けられてブロックに結合されている胴体部１１０が離脱しないようにする。
【００４９】
つまり、係止部１４０は、流入部１２０が形成された胴体部１１０の外側縁に沿って設けられており、胴体部１１０が先に挿入されるブロックの側面を支持することによって、ブロックに挿入された胴体部１１０が挿入方向に抜けないようにする。これは、流速の速い大容量の水処理施設に適している。
【００５０】
一方、胴体部１１０は、断面の形状が多角形状に形成されてもよい。
【００５１】
図２を参照すると、胴体部１１０は、断面形状が四角形の四角柱形状に形成され、長手方向の両端のうち排出部１３０が設けられた断部四角形状の一側面に排出孔１３２が位置を異にして形成されていることを除いては、前述した円柱形状の胴体部１１０と大同小異である。従って、重複となる説明は省略する。
【００５２】
胴体部１１０は、断面の形状が四角形である四角柱形状に形成されるが、これはブロックとブロックとの間に挿入された胴体部１１０の接触面に対し角度の多様化を与えて組立て公差の低減やブロックの遊動を防止するためである。
【００５３】
ここで、胴体部１１０は、断面の形状が四角形の四角柱を基準にして説明したが、三角、五角、六角、七角、八角などの多様な形態の断面形状を持つ多角柱形状に形成されても良い。
【００５４】
排出孔１３２は、胴体部１１０の排出部１３０において位置を異にして設けられる。
【００５５】
排出孔１３２についてより詳細に説明すると、胴体部１１０の製作時に胴体部１１０の四角形状の端面に上下左右任意の位置に少なくとも一つ以上形成する。これは、水処理施設の目的に合わせてブロックとブロックとを連結するとき、排出孔１３２の位置が違うように形成された胴体部１１０を選択的に結合して流路の誘導、及びブロック間のブロックの水位調整を可能にするためである。
【００５６】
以下、前述したように形成された浄化槽や水処理施設用ブロックの結合具１００を用いて組み合わされる組立式ブロック２００について説明する。
【００５７】
組立式ブロック２００は、ハウジング２１０と、結合溝２２０と、結合具１００とからなる。
【００５８】
ハウジング２１０は、上部に蓋部２１２が開閉自在に組み合わされ、内部に流体を貯留するための空間部２１４が形成されている。
【００５９】
ハウジング２１０は、上部が開放された立方体の単位ユニットから構成され、それぞれの単位ユニットが左右で結合して一つの組立体を構成し、この組立体は浄化槽及び各種の水処理施設の構造物となる。
【００６０】
ハウジング２１０は、図４に示したように、水処理施設の目的と設置場所の環境に合わせて左右に結合して延長させる時、直列、屈折、ジグザグ、二重配列、長方形などのように多様に結合することができる。
【００６１】
一方、図５を参照すると、ハウジング２１０の内部には、水処理施設で沈降、掃除、流体回転の目的で用いられるホッパー機能を奏するべく、ホッパー組立体２１６が組み付けられても良い。
【００６２】
ホッパー組立体２１６は、支持ブロック２１６ａ、支持片２１６ｂ、埋込金物２１６ｃ、金物２１６ｄから構成される。
【００６３】
支持ブロック２１６ａは、三角柱形状の複数個のユニットが一組を成して製作され、長手方向の一端と他端とが相互に連結してハウジング２１０内部の底面の周縁に沿って配設される。
【００６４】
支持片２１６ｂは、棒状から形成され、後述する埋込金物２１６ｃの配設が容易となるように長手方向の一端と他端とが相互対称にハウジング２１０の中心側に位置された支持ブロック２１６ａにそれぞれ結合してハウジング２１０の底面に設けられる。
【００６５】
埋込金物２１６ｃは、支持片２１６ｂに対し直交するようにハウジング２１０の内部の底面に設けられ、この時、中心側が支持片２１６ｂの中心部に連結され、両端部がハウジング２１０の内部で相互対称に設けられた支持ブロック２１６ａに近接するようにそれぞれ延長される。
【００６６】
金物２１６ｄは、いずれか一つのハウジング２１０に配設された埋込金物２１６ｃと他の一つのハウジング２１０に配設された埋込金物２１６ｃとに一端と他端とがそれぞれ結合し、ハウジング２１０とハウジング２１０とが相互に連結できるようにする。
【００６７】
ここで、ホッパー組立体２１６は、事前に製作してハウジング２１０に自重及び接着剤を利用して固定する組付けを行うか、またはホッパー組立体２１６の製作時にハウジング２１０の内部に配設された埋込金物２１６ｃに金物２１６ｄを連結して隣接したホッパー組立体２１６間の連結が成されるようにすることもできる。この時、金物２１６ｄには、配管または水処理施設用設備等を取り付けることもできる。
【００６８】
結合溝２２０は、ハウジング２１０の側面に少なくとも一つ以上設けられる。
【００６９】
結合溝２２０は、ハウジング２１０とハウジング２１０とが連結するように、後述する結合具１００が挿入するための部分であり、ハウジング２１０の側面に上下左右任意の位置に自由に形成することができる。つまり、流路と水位調節のために多様な位置に形成することができる。
【００７０】
結合具１００は、結合溝２２０に挿入して結合され、ハウジング２１０に引き込まれる流体の流路及び水位を調整する。
【００７１】
結合具１００は、前述した浄化槽及び水処理施設用ブロックの結合具１００の胴体部１１０、つまり、Ｏ-タイプ、Ｃ-タイプ、Ｒ-タイプの三つのタイプをいうので、詳しい説明は省略する。
【００７２】
このように、結合具１００は、それぞれのタイプを選択的にハウジング２１０の結合溝２２０に組み合わせることにより、ハウジング２１０同士間の締結及び、流体が移動するための流路と水位調節の機能を果たすことになる。
【００７３】
また、結合具１００は、図３に示したように、ハウジング２１０と一体に成形することも良く、これは、ハウジング２１０とハウジング２１０との当接を可能にしてハウジング２１０同士の連結時に結合具１００を挿入させる作業工数を減らすと共に、締結されたハウジング２１０の遊動を防止する長所がある。
【００７４】
以下、前述したように構成された浄化槽及び水処理施設用ブロックの結合具を利用して組立式ブロックを設置する方法について、図４及び図５を参照して説明する。
【００７５】
先ず、浄化槽及び水処理施設に合わせてハウジング２１０とハウジング２１０とを連結する。
【００７６】
次いで、ハウジング２１０のそれぞれに設けられている結合溝２２０に結合具１００を挿通してハウジング２１０とハウジング２１０とを連結する。
【００７７】
この時、引き込まれる流体がハウジング２１０のそれぞれを通りながら、順次に水処理が行われるように三タイプの結合具１００をハウジング２１０に適宜に組み合せることにより、流体の流路及び水位調節を可能とすることができる。
【００７８】
ここで、微細な水位調節が必要な場合は、Ｒ-タイプの結合具１００を左右に回転させて排出孔１３２の相対的な高さを調整する。つまり、１次は、回転するＲ-タイプの結合具１００を使用し、２次は、Ｏ-タイプ、Ｃ-タイプ、Ｒ-タイプなどを選択的に結合するなど、様々な組合せを通じた多様な結合方式で微細な水位の調節が可能となる。
【００７９】
もし、ホッパー組立体２１６が必要な場合は、ハウジング２１０の内部にホッパー組立体２１６を挿入し、ホッパー組立体２１６に設けられた埋込金物２１６ｃに金物２１６ｄを連結し、隣接したホッパー組立体２１６を相互に連結すればよい。
【００８０】
また、老巧化または破損などの理由によりハウジング２１０を取り替える場合は、交換すべきハウジング２１０の結合具１００を除去して新しいハウジング２１０に取り替えた後、結合具１００を再度挿入することによって簡単に交換することができ、また解体作業が必要な場合にも上記の方法で容易に解決することができる。
【００８１】
したがって、本発明の一実施形態による浄化槽及び水処理施設用ブロックの結合具、及びこれを用いた組立式ブロックは、浄化槽及び各種の水処理施設に応じたオーダーメイドが可能であり、実用性に優れた効果を奏する。
【００８２】
また、ブロックとブロックとの結合が簡単且つ堅固であり、各ブロック間の流路形成が容易であるため、引き込まれる流体が効率的に誘導されるという効果がある。
【００８３】
また、ブロック設置に伴う諸事項が少ないため、低コスト化及び工事期間の短縮が図れる。
【００８４】
また、堅固な施工によって汚廃水が地下に漏洩することを防止するため、環境汚染の問題がないという効果がある。
【００８５】
さらに、簡単な施工によって、設置及び除去が容易で、老朽化または破損などの理由による交換または修理が容易であるという効果がある。
【００８６】
以上、本発明の望ましい実施形態について添付図面を参照して説明したが、当該技術分野において熟練した者は、下記の特許請求の範囲に記載された本発明の技術的思想から外れない範囲内で本発明を様々に修正し、及び変更し得ることを理解する。
【００８７】
本発明は、浄化槽及び水処理施設用ブロックの結合具、及びこれを用いた組立式ブロックに関するもので、より具体的に説明すると、浄化槽と水処理のために地下に埋設して配設する多数のブロックを相互締結するための結合具、水処理施設の目的に応じたオーダーメイドが可能な浄化槽、水処理施設用ブロックの結合具、及びこれを用いた組立式ブロックに利用可能である。
【符号の説明】
【００８８】
１００  浄化槽及び水処理施設用ブロックの結合具
１１０  胴体部
１１２  流路
１２０  流入部
１２２  流入孔
１３０  排出部
１３２  排出孔
１４０  係止部
２００  浄化槽及び水処理施設用ブロックの結合具を用いた組立式ブロック
２１０  ハウジング
２１２  蓋部
２１４  空間部
２１６  ホッパー組立体
２１６ａ  支持ブロック
２１６ｂ  支持片
２１６ｃ  埋込金物
２１６ｄ  金物
２２０    結合溝
【図１】
0006419355.tif 000002
【図２】
0006419355.tif 000003
【図３】
0006419355.tif 000004
【図４】
0006419355.tif 000005
【図５】
0006419355.tif 000006